(57)【要約】【課題】本発明は、入力されるデータを他のデータと同時に指定の配信先に配信する配信装置、画像処理装置、配信システム、配信方法、配信プログラム及び記録媒体に関する。【解決手段】配信サーバＳＶは、複合装置ＭＦから原稿を読み取った画像データが配信データとしてネットワークＮＷを介して送られてくると、該配信データと同時に配信する同時配信データが予め内部メモリに設定されている場合には、自動的に、該配信データと該同時配信データを１つの配信動作でネットワークＮＷを介して配信する。【選択図】          図１
2010213025.tif 000002
【特許請求の範囲】
【請求項１】
データを取り込むデータ取り込み手段と、
前記データ取り込み手段の取り込んだ取り込みデータを指定の配信先に配信する配信手段と、
前記データ取り込み手段が取り込んだ前記取り込みデータと同時に配信する同時配信データを設定する同時配信データ設定手段と、
前記取り込みデータと前記同時配信データを前記配信手段に１つの配信動作で配信させる配信制御手段と、
を備えていることを特徴とする配信装置。
【請求項２】
前記配信制御手段は、前記取り込みデータと前記同時配信データを同じファイル形式の１つの統合ファイルに統合して前記配信手段に配信させることを特徴とする請求項１記載の配信装置。
【請求項３】
前記配信装置は、前記統合ファイルのファイル形式を指定するファイル形式指定手段を備えていることを特徴とする請求項２記載の配信装置。
【請求項４】
前記配信装置は、データを保管する保管手段を備え、
前記同時配信データ設定手段は、前記同時配信データとして指定するデータの前記保管手段での保管場所を指定し、
前記配信制御手段は、前記同時配信データ設定手段によって指定されている前記保管手段の保管場所に保管されているデータを前記同時配信データとして取得して前記取り込みデータと１つの配信動作で前記配信手段に配信させることを特徴とする請求項１から請求項３のいずれかに記載の配信装置。
【請求項５】
前記配信装置は、
データを保管する保管手段と、
前記データ取り込み手段の取り込んだ前記取り込みデータから所定のデータをデータ内データとして取得するデータ内データ取得手段と、
前記データ内データ取得手段の取得した前記データ内データを解釈して前記同時配信データとして指定するデータの前記保管手段での保管場所を特定するデータ内データ解釈手段と、
前記配信制御手段は、前記データ内データ解釈手段の特定した前記保管手段の保管場所に保管されているデータを前記同時配信データとして取得して前記取り込みデータと１つの配信動作で前記配信手段に配信させることを特徴とする請求項１から請求項３のいずれかに記載の配信装置。
【請求項６】
前記データ内データ取得手段は、前記取り込みデータから所定のバーコードデータまたは／及び所定の文字データを取得することを特徴とする請求項５記載の配信装置。
【請求項７】
データを取得するデータ取得手段と、
前記データ取得手段の取得したデータの配信先を指定するとともに同時配信データの同時配信を要求するか否かの同時配信要否指定、同時配信を要求する場合の同時配信データの指定を行う同時配信指定手段と、
前記データ取得手段の取得したデータ及び前記同時配信指定手段で指定された配信先指定情報と同時配信要否情報または配信先指定情報と同時配信要求情報及び同時配信データ指定情報を配信装置に送信する配信データ送信手段と、
を備えていることを特徴とする画像処理装置。
【請求項８】
データの配信依頼を行う画像処理装置と該画像処理装置からのデータを指定の配信先に配信する配信装置が所定のネットワークに接続されている配信システムにおいて、
前記画像処理装置は、
データを取得するデータ取得手段と、
前記データ取得手段の取得したデータの配信先を指定するとともに同時配信データの同時配信を要求するか否かの同時配信要否指定、同時配信を要求する場合の同時配信データの指定を行う同時配信指定手段と、
前記データ取得手段の取得したデータ及び前記同時配信指定手段で設定された配信先指定情報と同時配信要否情報または配信先指定情報と同時配信要求情報及び同時配信データ指定情報を配信装置に送信する配信データ送信手段と、
を備え、
前記配信装置は、
前記画像処理装置からのデータを取り込むデータ取り込み手段と、
前記データ取り込み手段の取り込んだ取り込みデータを指定の配信先に配信する配信手段と、
前記同時配信要否情報または前記同時配信要求情報と前記同時配信データ指定情報に基づいて前記データ取り込み手段が取り込んだ前記取り込みデータと同時に配信する同時配信データを設定する同時配信データ設定手段と、
前記取り込みデータと前記同時配信データを前記配信手段に１つの配信動作で配信させる配信制御手段と、
を備えていることを特徴とする配信システム。
【請求項９】
データを取り込むデータ取り込み処理ステップと、
前記データ取り込み処理ステップで取り込まれた取り込みデータを指定の配信先に配信する配信処理ステップと、
前記データ取り込み処理ステップで取り込まれた前記取り込みデータと同時に配信する同時配信データを設定する同時配信データ設定処理ステップと、
前記取り込みデータと前記同時配信データを前記配信処理ステップで１つの配信動作で配信させる配信制御処理ステップと、
を有していることを特徴とする配信方法。
【請求項１０】
コンピュータに、
データを取り込むデータ取り込み処理と、
前記データ取り込み処理で取り込まれた取り込みデータを指定の配信先に配信する配信処理と、
前記データ取り込み処理で取り込まれた前記取り込みデータと同時に配信する同時配信データを設定する同時配信データ設定処理と、
前記取り込みデータと前記同時配信データを前記配信処理で１つの配信動作で配信させる配信制御処理と、
を実行させることを特徴とする配信プログラム。
【請求項１１】
請求項１０記載の配信プログラムを記録したことを特徴とするコンピュータが読み取り可能な記録媒体。
【発明の詳細な説明】
【技術分野】
【０００１】
本発明は、配信装置、画像処理装置、配信システム、配信方法、配信プログラム及び記録媒体に関し、詳細には、入力されるデータを他のデータと同時に指定の配信先に配信する配信装置、画像処理装置、配信システム、配信方法、配信プログラム及び記録媒体に関する。
【背景技術】
【０００２】
近年、コンピュータ等の情報処理装置の普及に伴って、画像、文書等の各種ドキュメントの電子化が進んでおり、近時、スキャナやスキャナ機能を搭載するＭＦＰ（マルチファンクション装置）等のスキャナ機能を備えた画像処理装置においては、スキャナ機能で読み取った画像データを、ネットワークを介して所定のデータ形式で他のネットワーク上の端末等に配信したり、電子メールに添付して配信するデータ配信が行われるようになってきている。
【０００３】
また、近年、スキャナ（画像入力機器）で読み取った原稿の画像データを配信サーバに送って、配信サーバが予め種々の業務や用途に応じて登録されている配信メニューに応じて配信処理を行う配信システムを利用したデータ配信が行われるようになってきている。
【０００４】
データ配信処理においては、従来、取り込んだデータの配信先等の配信に関する書誌情報をいちいち配信のたびにスキャナや配信サーバの操作部のキー操作等によって指定しているため、指定操作が面倒であり、作業性が悪い。
【０００５】
ところが、送信先の電子メールアドレスをいちいち操作部のキー操作で入力すると、入力操作が煩わしく、利用性が悪い。
【０００６】
そこで、従来、入力画像データに対する配信処理の流れを定義したフロー定義データを登録して、処理定義フローでの処理を設定するための画面定義データを、画像入力機器に送って該画面定義データによって該画像入力機器で表示される書誌情報入力画面から入力された書誌情報を受信して受信した該書誌情報とフロー定義データに応じた処理を実行する技術が提案されている（特許文献１参照）。
【発明の概要】
【発明が解決しようとする課題】
【０００７】
しかしながら、上記公報記載の従来技術にあっては、１つの入力データを配信する処理に対する技術であり、配信処理の利用性をより一層向上させる上で、改良の必要があった。すなわち、データの配信においては、入力される入力データを指定の配信先に指定のデータ形式で配信するだけでなく、既に入力されたデータやその他のデータを入力データに付加したり、合成して配信する要求があり、このような入力データと他のデータを同時に配信することについては、従来技術では考慮されておらず、データ配信処理の利用性を向上させる上で、改良の必要があった。
【０００８】
そこで、本発明は、入力データと他のデータを一緒に配信する場合の処理性能を向上させて、利用性の良好なデータ配信を行う配信装置、画像処理装置、配信システム、配信方法、配信プログラム及び記録媒体を提供することを目的としている。
【課題を解決するための手段】
【０００９】
本発明は、上記目的を達成するために、データを取り込むと、取り込みデータと同時に配信する同時配信データが設定されている場合に、該取り込みデータと該同時配信データを１つの配信動作で配信することを特徴としている。
【００１０】
また、本発明は、前記取り込みデータと前記同時配信データを同じファイル形式の１つの統合ファイルに統合して配信することを特徴としてもよい。
【００１１】
さらに、本発明は、同時配信データの保管手段での保管場所が指定されていると、該指定されている保管手段の保管場所に保管されているデータを同時配信データとして取得して前記取り込みデータと１つの配信動作で配信することを特徴としてもよい。
【００１２】
また、本発明は、前記取り込みデータから所定のデータをデータ内データとして取得して、取得した該データ内データを解釈して前記同時配信データとして指定するデータの保管手段での保管場所を特定し、該保管手段の保管場所に保管されているデータを前記同時配信データとして取得して前記取り込みデータと１つの配信動作で配信することを特徴としてもよい。
【００１３】
さらに、本発明の画像処理装置は、取得したデータの所定配信先への配信依頼を行うとともに、該データと同時に配信する同時配信の要否、該同時配信要求する場合の同時配信データの指定（データ自体の指定、データ存在場所の指定等）を配信装置に要求することを特徴としている。
【００１４】
また、本発明の配信システムは、画像処理装置が、取得したデータの所定配信先への配信依頼を行うとともに、該データと同時に配信する同時配信の要否、同時配信要求する場合の同時配信データの指定を配信装置に要求し、配信装置が、画像処理装置からのデータを取り込んで指定の配信先に配信するとともに、同時配信要求に応じて該データと該同時配信データを１つの配信動作で配信することを特徴としている。
【発明の効果】
【００１５】
本発明によれば、入力データと他のデータを一緒に配信する場合の処理性能を向上させることができ、利用性の良好なデータ配信を行うことができる。
【図面の簡単な説明】
【００１６】
【図１】本発明の第１実施例を適用した配信システムのシステム構成図。
【図２】複合装置の要部ブロック構成図。
【図３】配信サーバの要部ブロック構成図。
【図４】配信システムの機能ブロック構成図。
【図５】同時配信設定処理を示すフローチャート。
【図６】同時配信設定画面の一例を示す図。
【図７】配信処理を示すフローチャート。
【図８】配信データと同時配信データを１つの統合ファイルに統合するファイル統合の説明図。
【図９】本発明の第２実施例を適用した配信システムの機能ブロック構成図。
【図１０】第２実施例における同時配信設定画面での設定状態の一例を示す図。
【図１１】第２実施例の配信処理を示すフローチャート。
【発明を実施するための形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図８は、本発明の配信装置、画像処理装置、配信システム、配信方法、配信プログラム及び記録媒体の第１実施例を示す図であり、図１は、本発明の配信装置、画像処理装置、配信システム、配信方法、配信プログラム及び記録媒体の第１実施例を適用した配信システム１のシステム構成図である。
【００１９】
図１において、配信システム１は、ＬＡＮ（Local Area Network）等の有線／無線のネットワークＮＷに配信サーバＳＶと複合装置ＭＦが接続されており、複合装置ＭＦで読み取った原稿の画像データを配信サーバＳＶに送って、配信サーバＳＶが入力されるデータと既に配信サーバ内に保管されているデータを同時に、ネットワークＮＷ上の指定の配信先に配信する。
【００２０】
複合装置（画像処理装置）ＭＦは、図２に示すように、制御部１１、主記憶部１２、補助記憶部１３、表示部１４、入力部１５、ネットワークＩ／Ｆ１６、外部記憶部Ｉ／Ｆ１７、外部デバイスＩ／Ｆ１８、印刷部１９及び原稿読み取り部２０等を備えており、上記各部は、バス２１により接続されている。
【００２１】
主記憶部１２は、ＲＯＭ（Read Only Memory）、ＲＡＭ（Random Access Memory）等で構成され、プログラム及びシステムデータを格納し、また、ワークメモリとして利用される。制御部１１は、ＣＰＵ（Central Processing Unit ）等で構成され、主記憶部１２のプログラムに基づいて複合装置ＭＦの各部を制御して、複合装置ＭＦとしての機能を実行する。
【００２２】
補助記憶部１３は、ハードディスク（ＨＤＤ）等で構成され、原稿読み取り部２０で読み取った画像データ等を記憶する。表示部１４は、ＬＣＤ（Liquid Crystal Display）のディスプレイパネル等を備え、制御部１１の制御下で、各種情報を表示する。入力部（同時配信指定手段）１５は、テンキー、各種操作キー等を備え、複合装置ＭＦに行わせる各種動作の設定操作等が行われる。
【００２３】
すなわち、複合装置ＭＦは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の配信方法を実行する配信プログラムを読み込んで主記憶部１２や補助記憶部１３に導入することで、後述する取得データと同時配信データを同時に指定の配信先に配信することを依頼する画像処理装置として構築されている。この配信プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２４】
ネットワークＩ／Ｆ１６は、上記ネットワークＮＷに接続されており、ネットワークＮＷを介して相手端末、特に、配信サーバＳＶとの間で、データ及び制御信号の授受を行う。制御部１１及びネットワークＩ／Ｆ１６は、全体として、配信データ送信手段として機能している。
【００２５】
外部記憶部Ｉ／Ｆ１７は、ＵＳＢ（Universal Serial Bus）ドライブ等の記憶メディアドライブ３１が接続され、ＵＳＢデバイスやＳＤカード（Secure Digital：ＳＤ）、メモリスティック（Memory Stick：ＭＳ）等の記憶メディアのアクセスを行う。
【００２６】
外部デバイスＩ／Ｆ１８には、スキャナやデジタルカメラ（デジカメ）等の画像デバイス３２が接続され、外部デバイスＩ／Ｆ１８は、画像デバイス３２との間でデータのやり取りを行う。
【００２７】
印刷部１９は、例えば、電子写真方式でカラーの画像を用紙Ｐに印刷出力するプロッタが用いられており、カラー画像データに基づいてカラー画像を用紙Ｐに印刷して印刷済みの用紙Ｐを出力する。原稿読み取り部２０は、ＣＣＤ（Charge Coupled Device ）等を用いたスキャナが用いられており、原稿Ｇを主走査及び副走査して原稿の画像を読み取って画像データを出力する。
【００２８】
複合装置ＭＦは、特に、入力部１５からの操作に応じて、制御部１１の制御下で、原稿読み取り部２０によって原稿Ｇの画像を読み取って、必要な画像処理を施した後、配信データとしてネットワークＩ／Ｆ１６からネットワークＮＷを介して配信サーバＳＶに送信する。また、複合装置ＭＦは、外部記憶部Ｉ／Ｆ１７を介して記憶メディアに記憶されているデータや外部デバイスＩ／Ｆ１８を介して画像デバイス３２から取得したデータを、配信要求するデータとしてネットワークＩ／Ｆ１６からネットワークＮＷを介して配信サーバＳＶに送信する。上記原稿読み取り部２０、外部記憶部Ｉ／Ｆ１７及び外部デバイスＩ／Ｆ１８は、全体としてデータを取得するデータ取得手段として機能している。複合装置ＭＦは、この配信データの配信サーバＳＶへの送信に際して、同時配信指定手段である入力部１５等によって、配信先の指定、同時配信データの同時配信を要求するか否かの指定、同時配信を要求する場合に、同時配信データの指定（同時配信データのファイル名、同時配信データの存在場所等の指定）を行うことができ、制御部１１が、該指定に応じて配信先指定情報、同時配信要求情報及び同時配信データ指定情報を配信データとともにネットワークＩ／Ｆ１６を介して配信サーバＳＶに送信する。
【００２９】
上記配信サーバ（配信装置）ＳＶは、通常のハードウェア構成のサーバやパーソナルコンピュータ等が用いられており、図３に示すように、制御部４１、主記憶部４２、補助記憶部４３、ネットワークＩ／Ｆ４４、外部記憶部Ｉ／Ｆ４５、外部デバイスＩ／Ｆ４６、出力部Ｉ／Ｆ４７及び入力部Ｉ／Ｆ４８等を備えている。上記各部は、バス４９により接続されている。
【００３０】
主記憶部４２は、ＲＯＭやＲＡＭ等で構成され、ＲＯＭには、システムプログラム及びシステムデータ等が格納されている。補助記憶部４３は、ハードディスク等の不揮発性メモリで構成され、ＯＳ（Operating System）やアプリケーションソフトウェア、特に、後述する配信方法を実行する配信プログラム及び該配信プログラムを実行するのに必要な各種データが格納されるとともに、各データ、特に、ネットワークＮＷを介して複合装置ＭＦから入力される配信対象のデータ（画像データ）や入力データと同時に配信する他のデータである同時配信データが格納される。
【００３１】
すなわち、配信サーバＳＶは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の配信方法を実行する配信プログラムを読み込んで主記憶部４２や補助記憶部４３に導入することで、後述する入力データと同時に同時配信データを同時に指定の配信先に配信する配信方法を実行する配信装置として構築されている。この配信プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３２】
ネットワークＩ／Ｆ４４は、上記ネットワークＮＷに接続されており、ネットワークを介して相手端末、特に、複合装置ＭＦとの間で、データ及び制御信号の授受を行ってデータの受け取りを行い、また、ネットワークＮＷ上の配信先端末と接続して、該配信先端末にデータ配信を行う。
【００３３】
外部記憶部Ｉ／Ｆ４５は、ＵＳＢドライブ等の記憶メディアドライブ３１が接続され、ＵＳＢデバイスやＳＤカード、メモリスティック等の記憶メディア５１のアクセスを行って、該記憶メディア５１へのデータの書き出し（配信）及び該記憶メディア５１からのデータの入力を行う。
【００３４】
外部デバイスＩ／Ｆ４６には、スキャナやデジタルカメラ（デジカメ）等の画像デバイス５２が接続され、外部デバイスＩ／Ｆ４６は、画像デバイスとのデータのやり取を行って、特に、外部デバイス５２からデータの入力を行う。
【００３５】
出力部Ｉ／Ｆ４７には、ＣＲＴ（陰極線管：Cathode Ray Tube）やＬＣＤ等の出力部５３が接続され、出力部Ｉ／Ｆ４７は、制御部４１の制御下で、出力部５３に各種表示データの表示を行わせる。
【００３６】
入力部Ｉ／Ｆ４８には、キーボードやマウス等の入力部５４が接続され、入力部Ｉ／Ｆ４８は、入力部５４での入力操作内容を取得して制御部４１に渡し、また、制御部４１からの必要な制御信号を入力部５４に出力する。
【００３７】
そして、本実施例の配信システム１は、上記配信プログラムが配信サーバＳＶに導入されることで、図４に示すように機能構成され、配信サーバＳＶが、データ取得機能部６１、補助記憶機能部６２、情報配信機能部６３及びデータ設定機能部６４を、複合装置ＭＦが、データ読み取り機能部６５を搭載した機能構成となっている。
【００３８】
複合装置ＭＦのデータ読み取り機能部６５は、配信サーバＳＶに配信プログラムが導入されることで、配信サーバＳＶ側から見た機能部として構築されており、原稿読み取り部２０で読み取った原稿の画像データを指定の配信先への配信要求とともにネットワークＮＷを介して配信サーバＳＶに送信する。
【００３９】
配信サーバＳＶのデータ設定機能部（同時配信データ設定手段、ファイル形式指定手段）６４は、制御部１１及び入力部１５等によってその機能が実現され、複合装置ＭＦのデータ読み取り機能部６５から入力されるデータを配信データとして、該配信データの指定配信先への配信と同時に配信する同時配信データの有無、同時配信データがあるときには、該同時配信データの存在場所を設定する機能を有する。データ設定機能部６４は、入力部１５からの入力操作によって同時配信データの有無や同時配信データの存在場所が設定されると、該設定内容をデータ記憶機能部６２に記憶する。
【００４０】
データ記憶機能部（保管手段）６２は、補助記憶部４３等でその機能が実現され、同時配信データ及び複合装置ＭＦからの配信データを格納する。
【００４１】
情報配信機能部（データ取り込み手段、配信制御手段）６３は、制御部４１、ネットワークＩ／Ｆ４４、外部記憶部Ｉ／Ｆ４５及び外部デバイスＩ／Ｆ４６等でその機能が実現され、複合装置ＭＦのデータ読み取り機能部６５から原稿を読み取ったデータが入力データとして入力されると、該入力データを配信データとして取得し、また、外部記憶部Ｉ／Ｆ４５を介して記憶メディアドライブ５１に装着された外部記憶メディアから取得したデータや外部デバイスＩ／Ｆ４６を介して外部デバイス５２から取得したデータを配信データとして取得する。情報配信機能部６３は、取得した配信データを、必要に応じてデータ取得機能部６１にデータ記憶機能部６２に保存させる。そして、情報配信機能部６３は、入力データが配信データであるか否か判定し、配信データであると、データ設定機能部６４で同時配信データの同時配信が設定されているかをデータ設定機能部６４に問い合わせる。情報配信機能部６３は、同時配信データの同時配信が設定されていると、該同時配信データの存在場所を取得して、データ取得機能部６１に配信データのデータ記憶機能部６２への格納要求や配信データ及び同時配信データのデータ記憶機能部６２からの取得要求を行い、データ取得機能部６１から受け取った配信データまたは配信データと同時配信データに必要なデータ処理を施して、指定されている配信先、例えば、ネットワーク上の端末装置に送信（配信）する。
【００４２】
データ取得機能部６１は、制御部４１及び外部記憶部Ｉ／Ｆ４５等でその機能が実現され、情報配信機能部６３が配信データを取得すると、該配信データを補助記憶部４３または外部記憶部Ｉ／Ｆ４５を介して記憶メディアであるデータ記憶機能部６２に格納するが、本実施例では、説明を簡素化して明確にするために、データ記憶機能部６２が補助記憶部４３で機能構成されているとして説明する。また、データ取得機能部６１は、情報配信機能部６３からの要求に応じて、データ記憶機能部６２から配信データや同時配信データを取得して情報配信機能部６３に渡す。
【００４３】
次に、本実施例の作用を説明する。本実施例の配信システム１の配信サーバＳＶは、入力される配信データと同時配信データを設定に応じて１つの配信動作で同時に配信先に配信する。
【００４４】
まず、データ設定機能部６４による同時配信設定処理について、図５に基づいて説明する。データ設定機能部６４は、図５に示すように、入力部５４で同時配信設定処理モードが選択操作されたことが入力Ｉ／Ｆ４８を介して入力されると、図６に示すような同時配信設定画面Ｇ１を出力部Ｉ／Ｆ４７を介して出力部５３に表示出力する（ステップＳ１０１）。同時配信設定画面Ｇ１は、図６に示すように、同時配信データの存在場所である「データのＵＲＬ」、データを１つの文書（ファイル）に統合するか否かを設定する統合欄、データの出力形式の設定欄及び保存ボタンが、表示され、データのＵＲＬ（Uniform Resource Locater）としては、例えば、フォルダ、データ名等が設定入力される。
【００４５】
データ設定機能部６４は、同時配信設定画面Ｇ１で必要な項目が設定入力されて、「保存」ボタンが操作されると、該設定内容をデータ記憶機能部６２に保存して同時配信設定処理を終了する（ステップＳ１０２）。
【００４６】
この同時配信設定内容は、例えば、ＸＭＬ形式の場合、以下のような内容である。
<Bind data>
<URL>//100.200.10.20/bindDataFolder</URL>
<Merge>true</Merge>
<Output format>pdf</Output format>
</Bind data>
そして、複合装置ＭＦは、データの取り込み処理を行うとともに、配信指定処理を行う。例えば、複合装置ＭＦは、原稿読み取り部２０に原稿がセットされて、入力部１５で配信先の指定、同時配信データの同時配信の要否の指定及び同時配信を行う場合の同時配信データの指定が行われると、制御部１１の制御下で、原稿読み取り部２０にセットされた原稿の画像を読み取ってデータを取り込み、取り込んだデータと入力部１５で指定された配信先指定情報、同時配信要否情報、同時配信データ指定情報をネットワークＩ／Ｆ１６を介して配信サーバＳＶに送信する。
【００４７】
そして、配信サーバＳＶは、図７に示すように、例えば、複合装置ＭＦのデータ読み取り機能部６５によって読み取られた複合装置ＭＦからネットワークＮＷを介して配信データが送られてきて情報配信機能部６３が受け取ると（ステップＳ２０１）、情報配信機能部６３が、データ設定機能部６４に対して、同時に配信するデータ（同時配信データ）の配信が設定されているかを問い合わせる（ステップＳ２０２）。
【００４８】
ステップＳ２０２で、同時配信データの配信が設定されていると、データ取得機能部６１に同時配信データの取得を依頼し、データ取得機能部６１が、依頼された同時配信データを取得して、情報配信機能部６３に渡す（ステップＳ２０３）。この場合、データ取得機能部６１は、同時配信データの指定が、特定フォルダ（Folder）下にあるファイル（File）であると、該指定のフォルダ（Folder）下のファイル（File）を取得する。
【００４９】
そして、情報配信機能部６３は、配信データと同時配信データを１つの配信動作で同時に配信するデータとして統合する（ステップＳ２０４）。この場合、情報配信機能部６３は、同時配信データ設定が、１つのファイルにまとめるファイル統合を行う設定になっていると、配信データと同時配信データを１つのファイル、例えば、ＰＤＦ（Portable Document Format）ファイルやマルチページ（Multi-page）Ｔｉｆｆファイル等にまとめる統合を行う。例えば、図８に示すように、５ページからなるＴｉｆｆの配信データと２ページからなるエクセル（Ｅｘｃｅｌ）データを１つのＰＤＦファイルに統合する。
【００５０】
次に、情報配信機能部６３は、生成した統合ファイルを指定の配信先へ配信して、配信処理を終了する（ステップＳ２０５）。
【００５１】
上記ステップＳ２０２で、同時配信データの配信が設定されていないときには、情報配信機能部６３は、同時配信データの統合を行うことなく、受け取った配信データを指定の配信先に配信する（ステップＳ２０５）。
【００５２】
このように、本実施例の配信サーバＳＶは、配信データを取り込むと、該配信データと同時に配信する同時配信データが設定されている場合には、自動的に、該配信データと該同時配信データを１つの配信動作で配信している。
【００５３】
したがって、同時配信データを予め設定することで、例えば、紙文書を読み取った読み取りデータを配信データとして予め保管されている電子データを１つの配信動作で配信して、２つのデータを纏める作業操作を省くことができ、データ配信の利用性を向上させることができる。
【００５４】
また、本実施例の配信サーバＳＶは、取り込んだ配信データと同時配信データを同じファイル形式の１つの統合ファイルに統合して配信している。
【００５５】
したがって、１つのファイル形式に統合する作業操作を省くことができ、データ配信の利用性をより一層向上させることができる。
【００５６】
さらに、本実施例の配信サーバＳＶは、入力部５４で統合ファイルのファイル形式が予め指定されると、該指定されたファイル形式で配信データと同時配信データを統合した統合ファイルを生成して、データ配信している。
【００５７】
したがって、データ配信を要求する利用者の意図するファイル形式で配信データと同時配信データを統合して配信することができ、データ配信の利用性をより一層向上させることができる。
【００５８】
また、本実施例の配信サーバＳＶは、補助記憶部４３等のデータ記憶機能部６２における同時配信データの保管場所が指定されていると、該保管場所に保管されているデータを同時配信データとして配信データと１つの配信動作で配信している。
【００５９】
したがって、同時配信データを、例えば、補助記憶部４３の任意のフォルダに保管して、該フォルダを指定するという簡単な操作を行うことで、該フォルダのデータを配信データと１つの配信動作で配信させることができ、データ配信の利用性をより一層向上させることができる。
【実施例２】
【００６０】
図９から図１１は、本発明の配信装置、画像処理装置、配信システム、配信方法、配信プログラム及び記録媒体の第２実施例を示す図であり、図９は、本発明の配信装置、画像処理装置、配信システム、配信方法、配信プログラム及び記録媒体の第２実施例を適用した配信システム７０の機能ブロック構成図である。
【００６１】
なお、本実施例の説明において、第１実施例の配信システム１と同様の構成部分には、同一の符号を付してその説明を省略または簡略化し、また、図示しない部分についても、必要に応じて、第１実施例で用いた符号をそのまま用いて説明する。
【００６２】
図９において、配信システム７０は、配信サーバＳＶ２と複合装置ＭＦが図示しないネットワークＮＷによって接続されている。本実施例の配信システム７０の配信サーバＳＶ２及び複合装置ＭＦは、そのハード構成が、第１実施例と同様であり、配信サーバＳＶ２に導入される配信プログラムが異なることで、図９に示す機能構成が構築されている。
【００６３】
配信サーバＳＶ２は、第１実施例の配信サーバＳＶと同様のデータ取得機能部６１、データ記憶機能部６２、情報配信機能部６３及びデータ設定機能部６４が構築されているとともに、データ内データ取得機能部７１とデータ内データ解釈機能部７２が構築されており、複合装置ＭＦは、第１実施例と同様に、配信サーバＳＶ側から見た機能部としてデータ読み取り機能部６５が構築されている。
【００６４】
データ内データ取得機能部（データ内データ取得手段）７１は、情報配信機能部６３が複合装置ＭＦから取得した配信データ内に存在する所定のデータを取得して、データ内データ解釈機能部７２に渡す。データ内データ取得機能部７１は、配信データの所定位置のデータまたは所定種類のデータを取得する。例えば、データ内データ取得機能部７１は、配信データにバーコード（Barcode）があるか否か及びバーコード（Barcode）があるときにはその認識処理を行って、認識結果をデータ内データ解釈機能部７２に渡す。
【００６５】
このデータ内データとしては、例えば、以下のようなものである。
【００６６】
//100.200.10.20/bindDataFolder,bindData.xls
データ内データ解釈機能部（データ内データ解釈手段）７２は、データ内データ取得機能部７１が認識したデータ内データの認識内容とデータ設定機能部６２で設定されている同時配信設定内容との整合性を解釈して、配信データと同時に配信する同時配信データの存在場所を決定する。例えば、データ内データ解釈機能部７２は、バーコード（Barcode）から文字列を認識し、認識した該データ内データ（バーコード：Barcode）の１番目の文字列が同時配信データのフォルダ（Folder）名、２番目の文字列が同時配信データのファイル（File）名と設定されている場合には、１番目のデータ内容と２番目のデータ内容を連結させて、同時配信データの存在場所を特定する。
【００６７】
この場合、データ設定機能部６４は、同時配信設定処理モードにおいて、図６に示した同時配信設定画面Ｇ１を出力部Ｉ／Ｆ４７を介して出力部５３に表示出力するが、この同時配信設定画面Ｇ１で、図１０に示すように、データのＵＲＬの設定欄で、「barcode1」と「barcode2」の文字列が設定入力される。この場合、バーコード（Barcode）から認識したデータ内データの１番目と２番目を意味している。
【００６８】
そして、複合装置ＭＦは、入力部１５から同時配信データの指定（同時配信データのファイル名、存在場所等の指定）が行われると、制御部１１が該同時配信データの指定に応じたデータ内データを生成して、原稿読み取り部２０で読み取られた原稿の画像データに組み込んで配信データを生成したり、同時配信データの指定を行うバーコード等を原稿に貼り付けまたは印刷出力された原稿を原稿読み取り部２０で読み取ることによって配信データを生成する。
【００６９】
本実施例の配信サーバＳＶ２は、図１１に示すように配信処理を行う。なお、図１１において、図７と同様の処理ステップには、同一のステップナンバを付与して、説明を省略または簡略化する。
【００７０】
すなわち、配信サーバＳＶ２は、情報配信機能部６３が、配信データを受け取ると（ステップＳ２０１）、データ設定機能部６４に対して、同時に配信するデータ（同時配信データ）の配信が設定されているかを問い合わせる（ステップＳ２０２）。
【００７１】
ステップＳ２０２で、同時配信データの配信が設定されていると、情報配信機能部６３は、データ内データ取得機能部７１に、配信データ内の所定位置のデータまたは所定種類のデータ、例えば、バーコードをデータ内データとして取得して、該データ内データを認識して認識結果をデータ内データ解釈機能部７２に渡す（ステップＳ３０１）。
【００７２】
データ内データ解釈機能部７２は、データ内データ取得部７１が認識した内容とデータ設定機能部６２で設定されている同時配信設定内容との整合性を解釈して、配信データと同時に配信する同時配信データの存在場所を決定する（ステップＳ３０２）。
【００７３】
次に、情報配信機能部６３は、上記決定した同時配信データの存在場所から同時配信データの取得をデータ取得機能部６１に依頼し、データ取得機能部６１が、依頼された同時配信データを取得して、情報配信機能部６３に渡す（ステップＳ２０３）。
【００７４】
そして、情報配信機能部６３は、配信データと同時配信データを同時に配信するデータとして統合し（ステップＳ２０４）、統合ファイルを指定の配信先へ配信して、配信処理を終了する（ステップＳ２０５）。
【００７５】
上記ステップＳ２０２で、同時配信データの配信が設定されていないときには、情報配信機能部６３は、同時配信データの統合を行うことなく、受け取った配信データを指定の配信先に配信する（ステップＳ２０５）。
【００７６】
このように、本実施例の配信サーバＳＶ２は、データ内データ取得機能部７１が配信データの所定位置のデータまたは所定種類のデータ、例えば、バーコードをデータ内データとして取得して該データ内データを認識し、データ内データ解釈機能部７２が、データ内データ取得部７１の認識した内容とデータ設定機能部６２で設定されている同時配信設定内容との整合性を解釈して、配信データと同時に配信する同時配信データの存在場所を決定して、情報配信機能部６３が、データ内データ解釈機能部７２の特定したデータ記憶機能部６２の保管場所に保管されているデータを同時配信データとして取得して配信データと１つの配信動作で配信している。
【００７７】
したがって、例えば、補助記憶部４３等のデータ記憶機能部６２に複数のフォルダに分けて複数の同時配信データを保管して、配信データを配信サーバＳＶに入力する利用者が該配信データに、同時配信を意図する同時配信データの保管されているフォルダの情報を埋め込むことで、利用者の意図する同時配信データを配信データと１つの配信動作で配信させることができ、データ配信の利用性をより一層向上させることができる。
【００７８】
なお、上記説明においては、配信サーバＳＶ及び配信サーバＳＶ２が、画像処理装置としての複合装置ＭＦから入力される配信データに同時配信データを統合させて配信しているが、複合装置ＭＦが、配信サーバの機能を備えて、同時配信データを記憶し、原稿読み取り部２０等で取得した配信データに同時配信データを統合させて配信してもよい。
【００７９】
また、上記説明では、複合装置ＭＦで読み取ったデータを配信データとしているが、配信データは、読み取りデータに限るものではなく、ネットワークＮＷ上の他の複合装置ＭＦ等で合成されたデータ、ネットワークＮＷ上のコンピュータで作成・編集されたデータ、外部記憶デバイスに格納されているデータを、複合装置ＭＦが取得して配信サーバＳＶに配信データとして送信し、または、配信サーバＳＶ、ＳＶ２が直接配信データとして取り込んで配信データとしてもよい。
【００８０】
さらに、上記説明では、配信サーバＳＶ、ＳＶ２に予め保管されているデータを同時配信データとして配信データと同時に配信しているが、同時配信データは、配信データの配信処理を行う配信サーバＳＶ、ＳＶ２に予め保管されているデータに限るものではなく、例えば、外部記憶装置や他の配信サーバに保管されているデータあるいはその他のデータの存在場所を特定することのできるデータを、同時配信データとしてもよい。
【００８１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００８２】
本発明は、データ配信を効率的に行う複合装置、複写装置、スキャナ装置、情報処理装置等の配信装置、画像処理装置、配信システム、配信方法、配信プログラム及び記録媒体に利用することができる。
【符号の説明】
【００８３】
１  配信システム
ＮＷ  ネットワーク
ＳＶ  配信サーバ
ＭＦ  複合装置
１１  制御部
１２  主記憶部
１３  補助記憶部
１４  表示部
１５  入力部
１６  ネットワークＩ／Ｆ
１７  外部記憶部Ｉ／Ｆ
１８  外部デバイスＩ／Ｆ
１９  印刷部
２０  原稿読み取り部
２１  バス
３１  記憶メディアドライブ
３２  画像デバイス
Ｐ  用紙
Ｇ  原稿
４１  制御部
４２  主記憶部
４３  補助記憶部
４４  ネットワークＩ／Ｆ
４５  外部記憶部Ｉ／Ｆ
４６  外部デバイスＩ／Ｆ
４７  出力部Ｉ／Ｆ
４８  入力部Ｉ／Ｆ
４９  バス
５１  記憶メディア
５２  外部デバイス
５３  出力部
５４  入力部
６１  データ取得機能部
６２  補助記憶機能部
６３  情報配信機能部
６４  データ設定機能部
６５  データ読み取り機能部
Ｇ１  同時配信設定画面
７１  データ内データ取得機能部
７２  データ内データ解釈機能部
【先行技術文献】
【特許文献】
【００８４】
【特許文献１】特開２００８−９７５８６号公報
【図１】
2010213025.tif 000003
【図２】
2010213025.tif 000004
【図３】
2010213025.tif 000005
【図４】
2010213025.tif 000006
【図５】
2010213025.tif 000007
【図６】
2010213025.tif 000008
【図７】
2010213025.tif 000009
【図８】
2010213025.tif 000010
【図９】
2010213025.tif 000011
【図１０】
2010213025.tif 000012
【図１１】
2010213025.tif 000013